Podtech/llm-jp-corpus-v4-ja_patent huggingface dataset:
(57)【要約】【課題】  植物における冬場の低温や、霜などの害を防止する為の植物用保護具を提供する。【解決手段】  化学繊維からなる織布又は不織布を用いた平面矩形状の本体布において、両側縁にファスナーが設けられ、それを閉じることにより筒状に形成され、本体布の上端、下端にスリーブを設け紐状体を挿通させる。紐状体の端部には、引き込まれ防止のストッパーを設ける。本体布両側縁を接続させる為の雌雄一対の接続具を両側縁裏側に設ける。【選択図】図２
2016086802.tif 000002
【特許請求の範囲】
【請求項１】
化学繊維からなる織布または不織布を用いた平面矩形状の本体布（１）において、両側縁にファスナー（２）が設けられ、それを閉じることにより筒状に形成され、本体布（１）の上端辺、下端辺にスリーブ（４）を設け前記スリーブ（４）内に紐状体（５）を挿通させ、引締めることにより巾着状態になることを特徴とする植物用保護具。
【請求項２】
本体布（１）の上端辺、下端辺のスリーブ（２）に、端辺長の概ね半分の長さの紐状体（５）を挿通させ、両端辺長を減縮させることを特徴とする請求項１記載の植物用保護具。
【請求項３】
本体布（１）両側縁を接続させる為の雌雄一対の接続具（３）を両側縁裏側に設けることを特徴とする請求項１、または２記載の植物用保護具。
【請求項４】
紐状体（５）端部にストッパー（６）が設けられることを特徴とする請求項１、２、または３記載の植物用保護具。
【発明の詳細な説明】
【技術分野】
【０００１】  本発明は、植物における冬場の低温や、霜などの害を防止する為の植物用保護具に関するものである。
【背景技術】
【０００２】  果樹、特に柑橘類の若木は寒さに弱く、藁を巻いたり、ビニールで覆ったりして寒風害対策が講じられてきた。
【発明の概要】
【発明が解決しようとする課題】
【０００３】  そのために、次のような問題点があった。
藁を巻く、ビニールで覆う、いずれにして手間のかかる作業であり、甘い施工だと風により吹き飛ばされてしまう恐れがある。本発明は、以上の問題点を解決するために考案されたものである。
【課題を解決するための手段】
【０００４】  化学繊維からなる織布又は不織布を用いた平面矩形状の本体布（１）において、両側縁にファスナー（２）が設けられ、それを閉じることにより筒状に形成される。本体布（１）の上端辺、下端辺にスリーブ（４）を設け紐状体（５）を挿通させる。紐状体（５）の端部には、引き込まれ防止のストッパー（６）を設ける。両側縁を接続させる為の雌雄一対の接続具（３）を両側縁裏に設ける。
以上の構成によりなる植物用保護具。
【発明の効果】
【０００５】  本発明を使用することによって、設営が短時間で済み、効率的に寒風害対策が出来る。
【図面の簡単な説明】
【０００６】
【図１】本発明の内面側を展開した状態を示す平面図
【図２】本発明を樹木に掛けた状態を示す斜視図
【図３】本発明の接続具を接続した状態を示す斜視図
【図４】本発明のファスナーを閉じスリーブの紐状体を締めた状態を示す斜視図
【発明を実施するための形態】
【０００７】  以下、本発明の実施の形態を説明する。
（イ）化学繊維からなる織布または不織布を用いた平面矩形状の本体布（１）において、両側縁にファスナー（２）が設けられ、それを閉じることにより筒状に形成される。
（ロ）本体布（１）の上端辺、下端辺にスリーブ（４）を設け、端辺長の概ね半分の長さの紐状体（５）をスリーブ（４）に挿通させ、両端辺長を減縮させ、紐状体（５）の端部には、引き込まれ防止のストッパー（６）を設ける。
（ハ）本体布（３）両側縁を接続させる為の雌雄一対の接続具（６）を両側縁裏に装着する。
本発明は以上のような構成よりなる。
【０００８】  本発明を使用するときは、本体布（１）を樹木の周囲に配置し、本体布（１）の上端辺を引き上げ樹冠上に被せ上部、下部の順に接続具（３）を接続する。紐状体（５）を端辺の距離の概ね半分にしておけば、横方向に蛇腹状に減縮されるので取り扱いが楽になると共に本体布（１）がドーム形状を形作りやすい。中間部の接続具（３）を接続する。接続具（３）の形状は特に問わないが簡易に着脱が出来ることが重要である。また前記接続具を利用することで両側縁を引き寄せる事が出来、ファスナー（２）の開閉が容易となる。上下端辺のスリーブ（４）に挿通された紐状体（５）を引締め巾着状にする。紐状体（５）の端部に設けるストッパー（６）はスリーブ（４）内に紐状体（５）が引き込まれを防止する物であり、球状もしくはリング状の物が好ましい。本発明は、植物の防寒の用途以外に防鳥、防虫具としての利用も想定される。
【符号の簡単な説明】
【０００９】１  本体布、２  ファスナー、３  接続具、４  スリーブ、５  紐状体、６  ストッパー７  樹木
【図１】
2016086802.tif 000003
【図２】
2016086802.tif 000004
【図３】
2016086802.tif 000005
【図４】
2016086802.tif 000006
(57)【要約】      （修正有）【課題】食品の質を向上させる加工法を提供する。【解決手段】烏龍茶など発酵させた茶葉を少量食品に加えること、烏龍茶など発酵させた茶葉で滝れた茶を適量食品に加えることで、食品の質を向上させる。【選択図】なし【特許請求の範囲】
【請求項１】
烏龍茶など発酵させた茶葉を少量食品に加えることで、食品の質を向上させる加工法。
【請求項２】
烏龍茶など発酵させた茶葉で滝れた茶を適量食品に加えることで、食品の質を向上させる加工法。
【発明の詳細な説明】
【技術分野】
【０００１】本発明はファイトケミカルという栄養素を用いて、加工食品その他の食べ物の味わいを劇的に改善する、という全く新しい技術である。
具体的には『昔の美味しさ以上に良い味となる』という変化となる。
【先行技術】
これはファイトケミカルの効果を活用するものだが、それについては米国国立ガン研究所が１９９０年代に行った『デザイナーフーズ計画』がある。
２０００万ドルを費やしたこの計画は成功しなかったが、ファイトケミカルを活かした現代病に有効な加工食品を作る、という可能性が充分にあったから実施された計画である。
このファイトケミカルを有効な形にすることに私は成功し、効果のあるデザイナーフーズを作る基本技術の基礎は完成している。
一方有効な形に変化したファイトケミカルの別の効果は『人工的な味付けを自然にする』というものがあることが分かっている。
今回の発明はこの部分の効果を活用したもの。
【発明の概要】
【発明が解決しようとする課題】
【０００２】従来の『調味技術』とは調味料、旨味、香り、調理した素材などの組み合わせで味わいを作っていた。
しかし近年は素材の力の低下、ＢＳＥによって牛エキスの使用不能、などなど様々な問題でどんどん食べ物から自然な味わいが失われ、濃くキツイ味となっている。
例えば大量に消費されているインスタントラーメンも昔よりどんどん濃い味のものとなり、それを嫌って５０年も前のラーメンが未だに主流であり、しかしその主流も濃い味へと変化したため、嫌われ始めている。
外食のメニューも同様の変化で、濃い味中心となってしまっている。
『濃い味の食べ物』は胃腸の負担になるだけでなく、健康にも良いとは言えない。
【課題を解決するための手段】
【０００３】ほとんどの加工食品、惣菜類などが濃い味で負担が大きいという状況を
１．失われている栄養を補てんする。
２．人工的なキツイ味を消す。
ということで劇的に味を改善できるのが本発明である。
しかも手段は簡単で安価なため、ほとんど総ての加工食品、惣菜などに簡単に使用することが出来る。
いろいろなファイトケミカルを還元してその効果を調べたが、様々なファイトケミカルが現代病や不健康に効果があることが分かっている。
しかし濃い味の改善に関しては烏龍茶が最適であることが分かった。
烏龍茶とは茶葉の発酵を途中で止めて作るという独特な作り方をしているが、これが還元されたファイトケミカルと還元されないファイトケミカル（カテキン）の絶妙なバランスを作っている為と考えられる。【０００４】料理１人前分に対して０．３〜１ｇ程度の茶葉を直接加えるか、または水分の多い料理であれば４〜５ｇの茶葉で１．５リットル程度の茶を滝れ、それを適量加えることで改善が出来る。
インスタントラーメンなら粉末スープに０．３〜１ｇの烏龍茶の茶葉を入れておくことで、スープが全く違う上品で飲み干せる味わいとなる。
【発明の効果】
【０００５】食べ物の価値が大幅に高まる為、相対的に安く美味しいものが食べられることになる。つまり食品への人気が非常に高くなるという結果となるだろう。
例えばレトルトの麻婆豆腐のソースなどが売られているが、これで作る麻婆豆腐は本格的中華レストランの味にはならない。しかし本発明をソースに組み込むと『本物』の味わいとなる。
【発明を実施するための形態】
【０００６】食品には様々な形態があるため、それぞれに適した烏龍茶の組み込み方をすることになる。例えば粉末スープであればそこに茶葉も入れる、など。
レトルトソースなら製造時に材料に烏龍茶を加える、また調味料であればそこに烏龍茶を入れておくなど。
【実施例】例えばレトルトの麻婆豆腐に烏龍茶の茶葉を１〜２ｇ（３人分）加えて作ると、まるで相当高級な中華レストランで食べているような味になる。
イタリア料理を作るのにはトマトソースが多くの場合に必要ですが、生のトマトも缶詰のトマトも現在では適するものがほとんどない。
しかし缶詰に烏龍茶を適量入れておくことで、とても自然なトマトソースが作れる。
また、インスタントラーメンのスープに適量の烏龍茶の茶葉を入れるだけで、スープが最後まで美味しく飲めるラーメンになる。
【実施例の感想】
２０人の方に烏龍茶で味の改善を行った料理を食べてもらった。
麻婆豆腐（味の素の麻婆豆腐ソース使用）、チキンラーメン、チャーハン、ラザーニア（トマトソース）、チンジャオロースー、ホイコーロー
などだが、全員が『信じられないほど美味しい』という評価となった。
【産業上の利用可能性】現在食品の業界はデフレ状態であり、新製品を出しても飛ぶように売れる食品はなかなか存在しない。
そんな状態の食品界のほとんどの範囲の商品の味わいが飛躍的に上昇するのは、消費促進にもなり、また消費者の健康増進ともなる。
(57)【要約】【課題】  従来技術による刈り払いディスクは、外周に刃があったので、果樹園などの刈り払い作業では、誤って樹木を傷つけたり、切ってしまった。また、道路の除草などコンクリートブロックの際の除草作業では、刃先をコンクリートブロック等に触れて、刃先を損傷した。【解決手段】刈り払いディスクの外周には刃を着けず、外周に設けたくぼみの中に刃をつけた。【選択図】図１
2016086803.tif 000002
【特許請求の範囲】
【請求項１】
外周に沿ってくぼみがあり、そのくぼみの中に刃が在る、草刈り用ディスク。
【発明の詳細な説明】
【技術分野】
【０００１】本発明は、草刈りに使用する刈り払いディスクに関するものである。
【背景技術】
【０００２】従来の刈り払いディスクは、よく切れて作業性が良いように刃がディスクの外周にあった。【０００３】そのために、回転するディスクに触れるものは切れた。
【発明の概要】
【発明が解決しようとする課題】
【０００４】従来の刈り払いディスクでは、果樹園などで草刈り作業中に果樹の幹にディスクが触れると、本来は切りたくない幹まで切ったり、傷をつけたりしてしまった。【０００５】また、道路の分離帯など、コンクリートブロックなどの際に生えた草を刈る時に、コンクリートブロックにディスクが触れて、刃が損傷した。
【課題を解決するための手段】
【０００６】この目的のために、ディスクの外周に任意の大きさのくぼみを設け、刃をそのくぼみの中に設けた。
【発明の効果】
【０００７】上述のように、刈り払いのための刃が、ディスクのくぼみの中に在るので、くぼみに入る草は切れるが、くぼみに入らない大きさの、木の幹や枝などは、外周の平滑な場所に触れるだけなので、不用意にディスクが触れてしまっても、大きく傷つけたり、切ってしまう事がなくなった。【０００８】また、道路の分離帯などのコンクリートブロックや、壁などの際に生えた草を刈る時に、コンクリートブロックや壁にディスクが触れても、くぼんだところに在る刃は容易に損傷しなくなった。
【図面の簡単な説明】
【０００９】
【図１】本発明の実施形態を示す平面図
【図２】本発明の実施形態例（１）を示す部分平面図
【図３】本発明の実施形態例（２）を示す部分平面図
【発明を実施するための形態】
【００１０】以下、本発明の実施の形態について図１から図３を使って説明する。
【００１１】１図は、本発明のイメージを示す図で、（１）はディスクの本体であり、円形の本体に（２）のくぼみを設け、その中に（３）刃を設けた。
【００１２】  図２は実施形態例１を示す部分拡大図である。（２）元の円を示す線で表した大きさの本体（１）に（２）のくぼみを設け、そのくぼみの中に（３）刃を設けたので、（４）ディスクの外周部がブロックなどに当たっても刃の損傷が少ない。
【００１３】また、ディスクを回転させて刈り払い作業をする場合に、このくぼみに入らない大きさのものには刃が当たらないので、誤って樹木にディスクを触れさせても、切ってしまったり、大きく損傷を与える事が少なくなった。
【００１４】  図３は実施形態例２を示す部分拡大図である。
くぼみの前後でディスク外周のＡ点よりも、ディスク外周のＢ点を円の芯方向に下げて段差を設けた。これによりディスクが樹木などに触れた時、ディスクの外周のＡ点からくぼみを超えてディスク外周のＢ点に触れる時の衝撃が和らぎ、樹木へのダメージがさらに少なくなった。
【符号の説明】
【００１５】１、ディスクの本体、
２、くぼみ
３、刃
４、外周部
５、元の円を示す線
６、取り付け用の穴
７、Ａ点
８、Ｂ点
９、段差
【図１】
2016086803.tif 000003
【図２】
2016086803.tif 000004
【図３】
2016086803.tif 000005
(57)【要約】【課題】本発明は、充電体に充電された電荷を外部に取り出すことを目的としている。【解決手段】充電体（硫黄）に電荷を充電させた後、鉄板で電気に変換し、該鉄板の尖った先端の電力放電された出力を定電圧ダイオード（Ｒ）・（Ｄ）に供給し、該定電圧ダイオードの出力を外部に取り出した電池と該定電圧ダイオードの出力に電流制限する抵抗を介してエレクトレットに供給して該エレクトレットの振動する摩擦力で補充静電するを繰り返す該電池である。【選択図】図１
2016086624.tif 000002
【特許請求の範囲】
【請求項１】
充電体に電荷を充電させておき、この充電体の電荷に鉄板を接続して電気変換された電力を該鉄板の尖った先端で放電された出力を定電圧ダイオード（Ｒ）・（Ｄ）の出力を外部に取り出した電池と該定電圧ダイオードの出力に電流制限する抵抗を介してエレクトレットに供給し、該エレクトレットの振動する摩擦力で該充電体に補充静電を繰り返す該電池である充電体を用いた電池の方法。
【発明の詳細な説明】
【技術分野】
【０００１】本発明は、充電体に電荷を充電させておき、この充電体の電荷を定電圧ダイオードで電機に変換させた後、充電体にエレクトレットの振動摩擦で補充電する電池、充電体を用いた電池に関するものである。
【背景技術】
【０００２】従来、硫黄の玉に糸でむすび手で玉をふり回はすと静電気が発生し、硫黄の玉に導体物質を接続しないと起電器が位動しないことが知られている。
【発明の概要】
【発明が解決しようとする課題】
【０００３】そのために次のような問題があった。
従来の蓄電池は電力を充電して充電した電力を使用した方法が採用されているものがあった。
本発明は、このような課題に鑑みてなされたものであって、蓄電池を利用することなく、半永久的に発電・充電する充電体を用いた電池を提供することを目的としている。
本発明は、以上の問題点を解決しようとするものである。
【課題を解決するための手段】
【０００４】前記した課題を解決するために本発明は、充電体の電荷を鉄板で電機信号に変換した後、定電圧ダイオードの出力をエレクトレットに供給し、該エレクトレットの振動する摩擦力で補静電して放電・補静電することを繰り返しする電池であることが特徴である。
【発明の効果】
【０００５】本発明によれば、充電体を使用する前に電荷を充電することで半永久的に使用することができる電池である。
【図面の簡単な説明】
【０００６】
【図１】本発明の一実施例を示した構成図である。
【０００７】
【発明を実施するための形態】
【０００８】以下、本発明の実施の形態について説明する。
図１は、本発明の一実施例を示した構成図である。
図１において、１は充電体（硫黄）である該静電気を充電する。２は鉄板である該静電気を電荷に変換し、尖った先で電荷を放電する。ＳＷは該鉄板を該充電体に接続して電荷を放電する。３は定電圧ダイオードＲ・Ｄの出力である。４は電池である該充電体と鉄板の出力を外部に取り出した電池。Ｒ２は抵抗である該電流を制限する。５はエレクトレット膜である該Ｒ２抵抗の出力で振動し、摩擦力で該充電体に起電器力で補充静電する。
【符号の説明】
【０００９】１    充電体（硫黄）
２    鉄板
ＳＷ  スイッチ
３    定電圧ダイオード（Ｒ）・（Ｄ）出力
４    電池
Ｒ２  抵抗
５    エレクトレット膜
【図１】
2016086624.tif 000003
(57)【要約】      （修正有）【課題】電気を使用する物品は入切用のスイッチやボタンがあり、それらを押す行為によって電源の入切をしていたが、別の方法でより簡単に瞬時に電源の入切をする。【解決手段】電気を使用する物品において、接地電極部分が下に向くと同時に電源が入り、接地電極部分が上に向くと同時に電源が遮断される落下式自動電源入切装置である。【選択図】図１
2016143661.tif 000002
【特許請求の範囲】
【請求項１】
銅管の中の鉄球が落ちる作用を利用して電源の入切を可能にしたことを特徴とする落下式自動電源入切装置である。
【発明の詳細な説明】
【技術分野】
【０００１】  電気を使用する物品において、その物品の接地電極部分が下に向くと同時に自動的に電源が入り、接地電極部分が上に向くと同時に自動的に遮断することができる落下式自動電源入切スイッチに関すること。
【背景技術】
【０００２】    従来の電気を使用する物品は、その裏側や側面等に入切用のスイッチかボタンがあり、そのスイッチかボタンを押す行為で電源の入切をしていた。
【発明の概要】
【発明が解決しようとする課題】
【０００３】  従来の電気を使用する物品は、その裏側や側面等に入切用のスイッチやボタンがあり、そのスイッチやボタンを押す行為によって電源の入切をしていたが、別の方法でより簡単で瞬時に電源の入切をできないか思案した。
【課題を解決するための手段】
【発明の効果】
【０００４】  本発明は電気を使用する物品の構造体内部に組み込まれたスイッチで、接地電極部分が下に向くと同時に自動的にスイッチが入り、接地電極部分が上に向くと同時に自動的に遮断される落下式自動電源入切スイッチを提供する。これにより、従来の電源のスイッチやボタンを押す行為でなく、電気を使用する物品本体を上下に反転させることでより簡単で瞬時に電源の入切を可能とした。【０００５】
【図面の簡単な説明】
【０００６】
【図１】落下式自動電源入切スイッチの側面図である。
【図２】落下式自動電源入切スイッチの断面図である。
【発明を実施するための形態】
【０００７】以下、本発明の実施の形態を図１〜図２に基づいて説明する。
【０００８】  図においては、銅管１の電極はマイナス極であり、下部には銅管内部径と同じ大きさの絶縁材料からなる部材の中央に貫通穴を穿設し、そこに電線を出し上面にはんだ等で止着した電極接地部２である。固定された銅管１の中には適当な大きさの鉄球３が入っており、その鉄球３が銅管内部を上下移動することにより電源スイッチが作動する。電極接地部２が下に向くと電源スイッチが入り、電極接地部２が上に向くと電源スイッチが遮断される。銅管上部側面には穴が穿設され、鉄球３が銅管内部から脱落しない様、刺しピン４が穴に刺されて固定されている。この刺しピン４は電極の接続部も兼ねている。
【符号の説明】
【０００９】１  銅管
２  電極接地部
３  鉄球
４  刺しピン
【図１】
2016143661.tif 000003
【図２】
2016143661.tif 000004
(57)【要約】【課題】  地震が発生すると、多くの人々は気が動転し、冷静を失ってブレーカーのスイッチを遮断することを忘れてしまい、その結果、火災などの大きな災害を招いてしまう危険性は高かった。  本発明は、地震時に自動的にブレーカーのスイッチを遮断し、火事を未然に防ぐブレーカー自動遮断補助具を提供する。【解決手段】  略Ｊ字型の治具と、前記治具に挿通して軸方向に移動を可能にし、治具に固定するための摘みを側面に設けた重しと、ブレーカーと重しを連結させる紐状体よりなることを特徴としたブレーカー自動遮断補助具。【選択図】図１
2016143659.tif 000002
【特許請求の範囲】
【請求項１】
略Ｊ字型の治具と、前記治具に挿通して軸方向に移動を可能にし、治具に固定するための摘みを側面に設けた重しと、ブレーカーと重しを連結させる紐状体よりなることを特徴としたブレーカー自動遮断補助具。
【発明の詳細な説明】
【技術分野】
【０００１】  本発明は、地震の発生時に自動的にブレーカーが遮断される、ブレーカー自動遮断補助具に関するものである。
【背景技術】
【０００２】  従来、地震が発生した時は、火災を防ぐ為に、できるだけ早く人為的にブレーカーを遮断するしか術が無かった。
【先行技術文献】
【特許文献】
【０００３】
【特許文献１】  特開２０００−１１３７９７号公報
【発明の概要】
【発明が解決しようとする課題】
【０００４】  地震が発生すると多くの人は気が動転し、冷静を失い、ブレーカーを遮断することも忘れ、すぐに避難行動を開始して結果的に火災の危険性を招く恐れがあった。
本発明は、以上の問題点を解決するためになされたものである。
【課題を解決するための手段】
【０００５】  略Ｊ字型の治具と、前記治具に挿通して軸方向に移動を可能にし、治具に固定するための摘みを側面に設けた重しと、ブレーカーと重しを連結させる紐状体よりなる。
以上の構成よりなるブレーカー自動遮断補助具。
【発明の効果】
【０００６】  従来、ブレーカーの自動遮断方法には高額な設置費用や手間を要し、広く一般家庭に普及しているとまで言えなかった。
また、先行の特許文献１で紹介されている「配電用ブレーカーの感電遮断補助具」についても治具落下防止ピンの取り付けが面倒な点、ブレーカーのハンドルの遮断強さに合わせておもりの材質及び重量が決定されるとあり、設置に関してかなりの手間や調整を要する点、そしておもりを落下させるまでの方法が本発明と大きく異なるなど多くの相違点がある。
本発明は、ブレーカー自体を面倒な加工や改造することもなく、誰でも簡単にそして安価に設置することが可能である。
【図面の簡単な説明】
【０００７】
【図１】  本発明の斜視図
【図２】  本発明が作動した状態を示す斜視図
【発明を実施するための形態】
【０００８】  以下、本発明の実施の形態を説明する。
〔イ〕本発明は、略Ｊ字型の治具（１）（７）と、前記治具に挿通させる重し（２）と、ブレーカーと重し（２）を連結させる紐状体（３）より構成される。
〔ロ〕略Ｊ字型の治具（１）は一端が長い腕部を有する棒体よりなる。
〔ハ〕重し（２）は、略円筒型をしており、中央には前記治具（１）が挿通できる穴が設けられている。
〔ニ〕重し（２）の側面には、治具（１）との前後の動きを固定する摘み（６）と、紐状体（３）とを連結するための取付片（８）が設けられている。
〔ホ〕紐状体（３）はブレーカースイッチに備わる人為的な通電遮断用の引っ張り紐（９）と結ばれている。
本発明は以上のような構造である。
本発明が作動する時、つまり地震の発生時は、ブレーカースイッチ（４）の背後に設置された略Ｊ字型の治具の短い腕部（７）が、地震の揺れとともに徐々に外れる方向に（図面では右側）へ移動し、やがて地震の揺れが一定限度を超すとブレーカースイッチ（４）から完全に外れ、同じく略Ｊ字型治具の長い腕部（１）に取り付けられた重し（２）が落下することにより、その衝撃で重し（２）と連結した紐状体（３）が下方向へ瞬時に力が働き、紐状体（３）と結ばれているブレーカースイッチ（４）に備わる遮断用の引っ張り紐（９）も下方向へ強い力が瞬時に働くことで通電が遮断される。
また、本発明は重し（２）の側面に備わる摘み（６）を使って重し（２）を左右に移動させ固定することで、略Ｊ字型の治具を安定した状態の位置から、逆に小規模な地震にもすぐに外れるような不安定な状態の位置に調整が可能である。
そして、ブレーカースイッチ（４）自体が固くて遮断反応が難しい場合は、重し（２）を複数個略Ｊ字型治具の長い腕部（１）に通すことで、衝撃時の重荷を増やすことも可能である。
【符号の説明】
【０００９】１  略Ｊ字型治具腕部長形部分、２  重し、３  紐状体、
４  ブレーカースイッチ、５  ブレーカー、６  固定摘み、
７  略Ｊ字型治具腕部短形部分、８  取付片、９  遮断用引張り紐、
【図１】
2016143659.tif 000003
【図２】
2016143659.tif 000004